(57)【特許請求の範囲】
【請求項１】
ロープと、貝に開けた孔とに差し込み可能な細長の基材（２）に、二本の第一のロープ止め突起（３）と二本の第二のロープ止め突起（４）とが突設され、両ロープ止め突起（３、４）は基材（２）の周方向反対側に突設され、第二のロープ止め突起（４）
は二本の第一のロープ止め突起（３）の間に設けられ、二本の第二のロープ止め突起（４）の間隔は二本の第一のロープ止め突起（３）の間隔よりも狭いことを特徴とする貝係止具。
【請求項２】
請求項１記載の貝係止具において、二本の第一のロープ止め突起（３）と二本の第二のロープ止め突起（４）の軸の向きが異なることを特徴とする貝係止具。
【請求項３】
請求項１又は請求項２記載の貝係止具において、二本の第二のロープ止め突起（４）は基材（２）の軸方向に幅の広い薄片であることを特徴とする貝係止具。
【請求項４】
請求項１乃至請求項３のいずれかに記載の貝係止具において、貝止め突起（５）が基材（２）の両端側の夫々に一本ずつ又は二本ずつ突設されたことを特徴とする貝係止具。
【請求項５】
請求項１乃至請求項４のいずれかに記載の貝係止具（１）が多数本並べられ、それら貝係止具（１）の基材（２）の両端部（７）が細長連結体（８）により連結されて一枚に成型された集合貝係止具。
【請求項６】
請求項５記載の集合貝係止具において、隣接する貝係止具（１）の第一のロープ止め突起（３）と第二のロープ止め突起（４）とを離すか、又は両ロープ止め突起（３）、（４）の先端同士を連結したことを特徴とする集合貝係止具。
【請求項７】
請求項５又は請求項６記載の集合貝係止具において、細長連結体（８）と貝係止具（１）の基材（２）の端部（７）との間に、基材（２）の端部（７）の外形よりも大きな外形の突起（１０）が形成されたことを特徴とする集合貝係止具。
【発明の詳細な説明】
【技術分野】
【０００１】
本発明は帆立貝、真珠貝、その他の貝の養殖に使用される貝係止具と集合貝係止具に関する。
【背景技術】
【０００２】
帆立貝の養殖方法の一つとして耳吊養殖がある。これは海面近くに横向きに張った横ロープに、予め帆立貝を取付けた縦ロープを縦向きに取り付けて海中に吊して養殖する方法である。
【０００３】
帆立貝を縦ロープに取付けるのに貝係止具が使用されている。貝係止具Ｄには図９に示すようなものがある。これは樹脂製の細長な基材の軸方向中央部にロープ止め突起Ｈが突設され、軸方向両端寄りに貝止め突起Ｇが突設されている。この貝係止具Ｄは自動差込機（ピンセッター）で一本ずつ縦ロープＣに差し込まれる。差し込み速度は１本当たり０．７〜１秒程度の高速である。
【発明の開示】
【発明が解決しようとする課題】
【０００４】
貝係止具Ｄを縦ロープＣに差し込む場合、図９のロープ止め突起Ｈの傾斜角度θが小さい方が差し込み易い。ロープ止め突起Ｈの先端間隔Ｌを一定とし、傾斜角度θが大きい場合のロープ止め突起Ｈの根元間隔をｍとした場合、図９（ａ）（ｂ）のように傾斜角度θが小さい方のロープ止め突起Ｈの根元間隔Ｍはｍよりも広くなる。Ｍが広いと差し込まれた縦ロープＣ（図１０）の遊び（左右へのずれ幅）が大きくなる。即ち、縦ロープＣに差し込まれた貝係止具Ｄが左右へ移動し易く（ずれ易く）なる。図８（ａ）のように貝係止具Ｄがずれすると、貝係止具Ｄに係止された貝Ｂが縦ロープＣに接触して擦れて貝Ｂにストレスが発生し、貝Ｂの成長不良の一因となる。また、摺れた部分が他の部分の成長よりも遅れるため、貝Ｂの摺れた部分が図８（ｂ）のように窪んで（くびれて）変形する。一旦、変形すると、くびれた部分Ｋが成長して変形が直るまでに長い時間がかかり、場合によっては、時間がかかっても変形が直らないこともある。その場合は変形貝となって販売に適さなくなる。更に、縦ロープＣの遊びが大きくなって貝係止具Ｄが位置ずれし易くなると、位置ずれする貝係止具Ｄのロープ止め突起Ｈが縦ロープＣに衝突して衝撃を受け、そのくり返しによりロープ止め突起Ｈが折れることがあった。ロープ止め突起Ｈが折れると貝係止具Ｄが益々スライドし易くなり、図８（ａ）のように貝Ｂが縦ロープＣに接触して貝Ｂのストレスが増大し、貝Ｂの成長不良が著しくなり、図８（ｂ）のように貝Ｂに窪みが発生し易くなり、変形し易くなる。
【課題を解決するための手段】
【０００５】
本発明は前記したロープ内でのずれが少なく、縦ロープへ差し込み易い貝係止具を提供するものである。また、その貝係止具を数十本まとめて一枚に成型された集合貝係止具を提供するものである。
【０００６】
本発明の貝係止具は、ロープと、貝に開けた孔とに差し込み可能な細長の基材２に、二本の第一のロープ止め突起３と二本の第二のロープ止め突起４とを突設し、両ロープ止め突起３、４を基材２の周方向反対側に突設し、第二のロープ止め突起４は二本の第一のロープ止め突起３の間に設け、二本の第二のロープ止め突起４の間隔を二本の第一のロープ止め突起３の間隔よりも狭くした。二本の第一のロープ止め突起３と二本の第二のロープ止め突起４の軸の向きを異ならせた。二本の第二のロープ止め突起４を基材２の軸方向に幅の広い薄片にした。貝止め突起５が基材２の両端側の夫々に一本ずつ又は二本ずつ突設した。
【０００７】
本発明の貝係止具は、図１（ａ）の貝係止具を多数本（２０本前後）並べ、それら貝係止具１の基材２の両端部７を細長連結体８により連結して一枚に成型した。隣接する貝係止具１の第一のロープ止め突起３と第二のロープ止め突起４とを離すか、又は両ロープ止め突起（３）、（４）の先端同士を図６（ｃ）のように連結した。細長連結体８と貝係止具１の基材２の端部７との間に、基材２の端部７の外形よりも大きな外形の突起１０を形成した。
【発明の効果】
【０００８】
本件出願の貝係止具は、第一のロープ止め突起と第二のロープ止め突起とが基材の周方向反対側に突設されているので次のような効果がある。
１．ロープに差し込まれた貝係止具の第二のロープ止め突起でも位置ずれが防止されるため、ロープ止め突起がスライドしてロープに当たる衝撃で欠損することがなく、養殖中の貝の脱落もない。
２．第二のロープ止め突起があるため、図９（ｂ）のように傾斜角度θを小さくして、ロープ止め突起Ｈの根元間の間隔Ｍを図９（ａ）のｍより広くしても、差し込まれた縦ロープとの遊び（左右へのずれ幅）が第二のロープ止め突起により規制されて小さくなって、縦ロープに差し込まれた貝係止具が位置ずれしにくくなる。貝係止具が位置ずれしにくくなると、貝係止具に係止された貝が縦ロープに接触しにくくなり、貝が擦れて貝にストレスが発生することがなく、貝が変形せず、不良品の発生が少なくなる。更に、縦ロープと貝係止具との遊びが小さいため、縦ロープへのロープ止め突起の衝突がなく、第一のロープ止め突起が衝撃を受けず、ロープ止め突起が折れることもない。このため、貝が落下することがなく、養殖の歩留まりが向上する。
【０００９】
本件出願の集合貝係止具は数十本の貝係止具が並列に配置されて一枚に集合して成型されているので、ピンセッターなどの自動機器にセットして貝係止具を一本ずつ切断し、切断された貝係止具を一本ずつ縦ロープに差し込むこともできるため、ロープへの差し込み作業効率が向上する。
【発明を実施するための最良の形態】
【００１０】
（貝係止具の実施の形態１）
本発明の貝係止具の第１の実施形態を図１（ａ）に基づいて説明する。図１（ａ）の貝係止具１は樹脂成型品であり、ロープと貝に開けた孔に差し込み可能な細長の基材２に、第一のロープ止め突起３と第二のロープ止め突起４とが突設され、基材２のうち第一、第二のロープ止め突起３、４よりも軸方向外側に貝止め突起５が突設されている。基材２は軸方向両端部（差し込み端部）７が先端に向けて次第に細くなっている。
【００１１】
両ロープ止め突起３、４は縦ロープに差し込んだ貝係止具１が縦ロープから抜けるのを規制（阻止）するためのものである。第一のロープ止め突起３と第二のロープ止め突起４とは基材２の周方向反対側に突設されており、第一のロープ止め突起３が第二のロープ止め突起４よりも長く形成されている。貝係止具１の基材２の軸方向中央部の直径が１ｍｍ程度の場合、第一のロープ止め突起３の長さは５ｍｍ程度、第二のロープ止め突起３の長さは０．４〜０．５ｍｍ程度とすると差し込み易くなる。
【００１２】
第一のロープ止め突起３は基材２から同方向に二本突設され、互いに内向き斜めに突設されてハ字状になっている。
【００１３】
第二のロープ止め突起４は基材２の下方に突設されている。第二のロープ止め突起４は基材２の長手方向中央部の外径よりもやや細い丸棒状であるが、それ以外の形状、例えば、三角や四角の棒状とか、楕円形の棒状等であってもよく、長さ、太さ等もそれ以外であってもよい。第二のロープ止め突起４の長さは任意に決定することができるが、基材２の軸方向中央部の直径が１ｍｍ程度のときに、０．４〜０．５ｍｍ程度とするのが適する。
【００１４】
貝止め突起５は第一のロープ止め突起３側に向けて突設されている。貝止め突起５は薄板状に成型されている。基材２には図１（ｂ）のように基材２の外周面よりも一段低い倒伏部（通称：寝床）２０を形成して、貝止め突起５をその根元から基材２側に押し倒すと、貝止め突起５が倒伏部２０内に伏して倒れるようにしてある。これにより、貝係止具１をその軸方向一端から縦ロープに差し込むと、貝止め突起５が押し倒されて倒伏部２０内に倒れて貝止め突起５が縦ロープ内を貫通し易くなる。倒れた貝止め突起５は縦ロープ内を貫通し終えると自己の弾性と復元力で自動的に起立して、倒れる前の元の状態に復帰する弾性を備えている。
【００１５】
貝止め突起５は貝係止具１を差し込み端部７から貝の耳に開けられている孔に差し込むときも、押し倒されて倒伏部２０内に倒れて孔を貫通し、倒れた貝止め突起５は孔を貫通し終えると自己の弾性と復元力で自動的に起立して、倒れる前の元の状態に復帰する弾性を備えている。貝止め突起５は薄板状ではなく倒伏・復帰可能な弾性の丸棒状とかその他の形状とすることもできる。
【００１６】
貝止め突起５は図１（ｂ）（ｃ）に明示するように、先端側を外側向けて湾曲させて貝止め突起５に係止された貝が抜けにくくなるようにすると共に、貝止め突起５に貝の荷重が加わってもその荷重は貝止め突起５の根元まで伝わりにくくなるようにしてある。また、図１（ｂ）（ｃ）のように、貝止め突起５の根元２１を円弧状に湾曲させて成型して、貝の荷重が外側に向けて貝止め突起５に加わっても根元２１が裂けないようにしてある。
【００１７】
図１（ａ）の貝係止具をロープに差し込むときは、図２のように１本の貝係止具１を案内針３０の後方の受け具３１の受け溝３２内にセットし、図３のように案内針３０をロープＣ側に移動させてロープＣに差し込んでロープＣに孔を開ける。それより少し遅れて図４のように受け溝３２内の貝係止具１を押し具３３でロープＣ側に押して、案内針３０でロープＣに開けた孔に押し込む。このとき、貝係止具１の先方の第一、第二のロープ止め突起３、４をロープＣの孔を貫通し、更に、貝係止具１の先端部がセンサ３４に突き当たるまで押し込む。その後、図５のように案内針３０を逆戻りさせてロープＣから引き抜く。このとき、第一、第二のロープ止め突起３、４がロープＣの孔を貫通するまで押し込まれているため、貝係止具１は第一、第二のロープ止め突起３、４がロープＣに係止してロープＣから抜けない。
【００１８】
図１（ａ）の貝係止具１の第二のロープ止め突起４が基材２よりも外側に突出し過ぎると、貝係止具１が図５のように案内針３０に押し込まれたときに、第一のロープ止め突起３が案内針３０の開口部から外に突出し過ぎてしまい、第一のロープ止め突起３が邪魔をして貝係止具１がロープＣの穴に差し込まれにくくなるので、ロープＣの穴に貝係止具１がスムースに差し込まれる長さにする。
【００１９】
（集合貝係止具の実施の形態１）
本発明の集合貝係止具の一例を図６に示す。これは図１（ａ）の貝係止具を多数本（２０本）離して並べ、それら貝係止具１の基材２の両端の差し込み端部７を細長連結体８により連結し、更に、細長連結体８と貝係止具１の基材２の差し込み端部７との間に、基材２の差し込み端部７の外形よりも大きな外形の丸い突起１０を成型したものである。この突起１０は集合貝係止具の送り用として使用することができる。この突起１０は成型時には樹脂を流れ易くするための機能をも有する。突起１０の大きさ、長さ、形状等は所望に応じて選択できる。この場合、図６（ｂ）に示すように第一のロープ止め突起３の先端部３ａと第二のロープ止め突起４の先端部４ａとを円弧状にして直結（連結）すれば、連結部２５の切断が容易になる。連結する貝係止具１の本数は任意に選択することができる。
【図面の簡単な説明】
【００２０】
【図１】（ａ）は本発明の貝係止具の一例を示す平面図、（ｂ）は（ａ）の貝係止具の貝係止突起付近の詳細説明図、（ｃ）は（ａ）の貝係止具の貝係止突起付近の異なる例の詳細説明図。
【図２】本発明の貝係止具を受け具にセットした状態の平面図。
【図３】本発明の貝係止具をセットした受け具と案内針とを共に押して案内針をロープの途中まで差し込んだ状態の平面図。
【図４】本発明の貝係止具を案内針と共にロープに差し込んだ状態の平面図。
【図５】本発明の貝係止具をロープに差し込み終えて案内針を引き戻す過程の平面図。
【図６】（ａ）は本発明の集合貝係止具を２段連続成型した例を示す平面図、（ｂ）は第一、第二のロープ止め突起の先端部を直接連結した状態の説明図。
【図７】本発明の貝係止具の使用説明図。
【図８】（ａ）は従来の貝係止具の使用時の説明図、（ｂ）は窪みが発生した貝の説明図。
【図９】（ａ）、（ｂ）は従来の連結貝係止具の傾斜角度θ、Θが異なる例の説明図
【図１０】（ａ）、（ｂ）は従来の連結貝係止具の傾斜角度θ、Θが異なる場合のロープ内での位置ずれの説明図。
【符号の説明】
【００２１】
１  貝係止具
２  基材
３  第一のロープ止め突起
４  第二のロープ止め突起
５  貝止め突起
７  差し込み端部
８  細長連結材
１０  突起
２５  第一、第二のロープ止めの連結部
【要約】
【課題】  耳吊り養殖用の貝係止具の改善を図る。
【解決手段】  ロープと、貝に開けた孔とに差し込み可能な細長の基材２に、二本の第一のロープ止め突起３と二本の第二のロープ止め突起４とを突設し、両ロープ止め突起３、４を基材２の周方向反対側に突設し、第二のロープ止め突起４は二本の第一のロープ止め突起３の間に設け、二本の第二のロープ止め突起４の間隔を二本の第一のロープ止め突起３の間隔よりも狭くした。
【選択図】      図１
【図１】
0003550147.tif 000002
【図２】
0003550147.tif 000003
【図３】
0003550147.tif 000004
【図４】
0003550147.tif 000005
【図５】
0003550147.tif 000006
【図６】
0003550147.tif 000007
【図７】
0003550147.tif 000008
【図８】
0003550147.tif 000009
【図９】
0003550147.tif 000010
【図１０】
0003550147.tif 000011